(57)【特許請求の範囲】
【請求項１】
可動刃（２０）および静止刃（２２）を有し、可動刃（２０）を静止刃（２２）に押しつけることにより、可動刃（２０）が静止刃（２２）に対してバリカンの長手方向軸を横切る方向に往復運動することができるように構成および配置された刃集合体（１６）を備えたバリカン（１０）用の刃であって、前記静止刃は、
歯端（５４）および前記歯端（５４）の反対側に位置する取付端（５６）を有する基部（５２）と、
前記歯端（５４）からバリカン（１０）の長手方向軸と平行な方向に突起し、相互に間隔をおいて平行な関係に配列された複数の歯（３０、７６、７８）と、から成り、
前記それぞれの歯（３０）は歯先（８０、８２）および前記歯先と反対側に位置し前記歯端（５４）と接合する歯根（８４、８６）を有し、
前記歯根（８４、８６）を相互に間隔を置いた関係で前記歯端（５４）に接合することにより前記歯根の間に平坦な床面を有する溝（８８）を形成することで、刈り込まれた毛の刃集合体（１６）からの排出および前記歯根（８４、８６）における毛の通りを促進するように構成したバリカン（１０）用の刃において、
前記歯（３０，７６、７８）が刈り取り領域（３６）に一定のすくい角（Ｒ）を有するものであって、且つ当該静止刃は、射出成型された金属で構成されていることを特徴とするバリカン用の刃。
【請求項２】
さらに前記基部（５２）が、前記歯端（５４）から始まる均一半径を有する横方向に延展された円状隆起部（１００）を有することを特徴とする請求項１記載の刃。
【請求項３】
さらに、前記基部（５２）が厚さ（Ｔ）を有し、そして前記厚さが前記円状隆起部（１００）を含め前記基部（５２）全体で均一に維持されることを特徴とする請求項２記載の刃。
【請求項４】
さらに、前記歯（７６、７８）の各々に後方筋部（９２、９４）を設けることを特徴とする請求項１記載の刃。
【請求項５】
さらに、前記後方筋部（９２、９４）が少なくとも前記刃の前記取付端（５６）の方向に伸長することを特徴とする請求項４記載の刃。
【請求項６】
さらに、前記複数の歯が複数の長い歯（７８）および複数の短い歯（７６）を有し、前記複数の短い歯および長い歯を前記刃上にスキップ歯状態に配列することによって、前記短い歯（７６）の各々の両側に１つの前記長い歯（７８）を配置することを特徴とする請求項１記載の刃。
【請求項７】
さらに、前記基部（５２）が１対の外縁（６０）を有し、前記複数の歯が１対の最外端歯（９６）を含み、その１つを前記基部（５２）の前記外縁（６０）の対応する側の１つに隣接して配置し、前記最外端歯（９６）が各々の横方向の厚さが対応する残りの歯の厚さより厚く、前記最外端歯（９６）が各々前記対応する外縁（６０）を有する切欠部（９８）を形成することを特徴とする請求項１記載の刃。
【請求項８】
さらに、切刃部を除き前記歯の縁部の全てに丸みを持たせることを特徴とする請求項１記載の刃。
【請求項９】
さらに、平坦な床面を有する溝（８８）の幅が前記取付端（５６）の方向に広がるように前記歯の前記歯根（８４、８６）を構成することを特徴とする請求項１記載の刃。
【請求項１０】
前記歯の各々が前記取付端（５６）に向けて伸長する後方筋部（９２、９４）を有し、各歯の前記後方筋部（９２、９４）が前記歯根（８４、８６）と前記取付端（５６）との間に前記平坦な床面を有する溝（８８）を形成することを特徴とする請求項１記載の刃。
【請求項１１】
可動刃（２０）および静止刃（２２）を有し、可動刃（２０）を静止刃（２２）に押しつけることにより、可動刃（２０）が静止刃（２２）に対してバリカンの長手方向軸を横切る方向に往復運動することができるように構成および配置された刃集合体（１６）を備えたバリカン（１０）用の刃であって、前記静止刃は、
歯端（５４）および前記歯端（５４）の反対側に位置する取付端（５６）を有する基部（５２）と、
前記歯端（５４）からバリカン（１０）の長手方向軸と平行な方向に突起し、相互に間隔をおいて平行な関係に配列された複数の歯（７６、７８）と、から成り、
前記基部（５２）は前記歯端（５４）から始まる均一半径を有する横方向に延展された円状隆起部（１００）を形成することで、毛および／または刈り取られた毛の歯端（５４）からの排出および通りを促進するように構成したバリカン（１０）用の刃において、
前記歯（７６、７８）が刈り取り領域（３６）に一定のすくい角（Ｒ）を有するものであって、且つ当該静止刃は、射出成型された金属で構成されていることを特徴とするバリカン用の刃。
【請求項１２】
さらに前記歯（７６、７８）は歯先（８０、８２）および前記歯先（８０、８２）と反対側に位置し前記歯端（５４）と接合する歯根（８４、８６）を有し、前記歯根（８４、８６）を相互に間隔を置いた関係で前記歯端（５４）に接合することにより前記歯根の間に平坦な床面を有する溝（８８）を形成することを特徴とする請求項１１記載の刃。
【請求項１３】
可動刃（２０）および静止刃（２２）を有し、可動刃（２０）を静止刃（２２）に押しつけることにより、可動刃（２０）が静止刃（２２）に対してバリカンの長手方向軸を横切る方向に往復運動することができるように構成および配置された刃集合体（１６）を備えたバリカン（１０）用の刃において、前記静止刃は、
歯端（５４）および前記歯端（５４）の反対側に位置する取付端（５６）を有する基部（５２）と、
前記歯端（５４）からバリカン（１０）の長手方向軸と平行な方向に突起し、相互に間隔をおいて平行な関係に配列された複数の歯（７６、７８）と、から成り、
前記それぞれの歯（７６、７８）は歯先（８０、８２）および前記歯先と反対側に位置し前記歯端（５４）と接合する歯根（８４、８６）を有し、
前記それぞれの歯（７６、７８）は少なくとも前記歯端（５４）付近の刈り取り領域（３６）に一定のすくい角（Ｒ）を有するものであって、且つ当該静止刃は、射出成型された金属で構成されていることを特徴とするバリカン用の刃。
【請求項１４】
前記歯（７６）の前記すくい角（Ｒ）の大きさが前記歯（７６）の厚さ（Ｔ）に関係しないことを特徴とする請求項１３記載の刃。
【請求項１５】
前記歯端（５４）から始まる均一半径を有する横方向に延展された円状隆起部（１００）を形成することで、毛および／または刈り取られた毛の前記歯端（５４）からの排出を促進することを特徴とする請求項１３記載の刃。
【請求項１６】
前記すくい角（Ｒ）が、前記歯（７６）の少なくとも前記基部から頂上部まで部分的に設けられていることを特徴とする請求項１３記載の刃。
【発明の詳細な説明】
【０００１】
【発明の属する技術】
本発明はバリカン用の刃集合体（bladeset）に関し、さらに詳しくは、静止刃および該静止刃上で往復運動する可動刃を有し、刈り込んだ毛および／または毛の刃集合体の刈り込み領域からの排出するのを促進すると共に、毛が刈り込み領域から離れるのを促進する構成を刃の少なくとも１つに設けて成るバリカン用の刃集合体に関する。
【０００２】
【従来の技術】
電気バリカンは技術上よく知られており、一般に静止刃と可動刃を有する刃集合体から成る。各々の刃は、静止刃の歯の間に入った毛束を可動刃が静止刃の歯の間を横切るときに刈るように間隔を置いて配置された歯の列を有する。
従来のバリカンに共通の欠点は、刃の刈り込み動作から生じる刈り込まれた毛が刃の刈り込み領域に集まってつかえたり、刃の間に詰まってしまうことである。刈り込まれた毛が刈り込み領域にたまる（これは毛を濡らしたときに特にひどくなる現象である）と、刃の刈り込み動作が損なわれる。また、まだ散髪対象者の頭皮についている毛が従来のバリカンに詰まったり、引っかかったり、その動作を損ねたりすることもある。
【０００３】
この問題を解決するための１つの試みとして、静止刃の歯の間にフライス削りまたは機械加工によってＶ字形の溝が形成された。しかし、従来のフライス削りや機械加工技術の欠点のため、これらの溝は漏斗のように作用する傾向があり、毛および／または刈り込んだ毛を排出するための充分な手段は得られない。したがって、毛および／または刈り込んだ毛のかなりの部分を刃集合体の刈り込み領域から排出するのを効果的に促進するバリカンの刃集合体が必要である。
【０００４】
従来の刃集合体の別の欠点は、個々の歯の形状であるが、これもまた一部には、利用できるフライス削りまたは研削技術の限界によるものである。設計により、各歯は指定されたすくい角、すなわち比較的広い基部または歯根から比較的狭い隆起上部または頂上部までの歯の側面の傾斜角度を有する。大きいすくい角すなわちより緩やかな傾斜の利点は、鋭い側刃（side edge ）が得られ、より正確な刈り込みができることである。しかし、刃の厚さが薄いので、すくい角を大きくすると、歯の基部が広くなる。そうした広い基部は、刈り込むための毛を通しにくくなる。
【０００５】
さらに、切刃部が鋭い歯は使用中に損傷しやすく、またすぐに鈍る。最後に、やはり再び個々の歯の厚さが比較的薄いために、すくい角を大きくすると、頂上部が比較的狭くなる。頂上部が狭いと、通常の製造中に破損しやすく、また厚さが不十分であるために物理的に砕けたり、あるいはその他の方法で劣化しやすいことが知られている。
【０００６】
静止刃の場合、毛を刈り込み領域に通しやすくするために、上から見たときに刃先が歯根より薄い方が望ましく、したがって歯根を歯先より厚くすることが期待される。また、歯根があまりに薄すぎると、頂上部が薄くかつ弱くなりすぎるおそれがあるので、すくい角を充分に大きくすることができなくなる。
【０００７】
【発明が解決使用とする課題】
したがって、バリカンの歯の特定の指定すくい角は、上述の要素の妥協によって決定される。それでもなお、従来の研削、フライス削り、および機械加工技術の限界のため、刈り込み領域付近の歯の長さ部分全体および基部から頂上部までの歯の高さに所望のすくい角を有するバリカンの歯を製造することは、ほとんど不可能である。実際、製造される歯のすくい角は、歯の角度測定位置によって異なる場合が多い。この結果、バリカンの歯は最適な性能特性に達し得ない。
【０００８】
【発明の目的】
本発明の第１目的は、刈り込み領域に毛および／または刈り込んだ毛がたまったり詰まるのを防止するように設計され、かつ刈り込み領域から刈り込んだ毛を排出すると共に使用者の残った毛が刃から離れるのを促進するような、バリカンの刃集合体用の改善された刃を提供することである。
【０００９】
本発明の別の目的は、少なくとも刈り込み領域において刃の長さに沿って均一のすくい角を有するバリカンの刃集合体用の改良された刃を提供することである。
本発明のさらに別の目的は、静止刃の歯が皮膚に食い込むのを防止するように構成されたバリカン用の改善された刃集合体を提供することである。
【００１０】
【課題を解決するための手段】
本発明は、可動刃および静止刃から成る刃集合体を備えたバリカン用の刃において、可動刃を静止刃に押し付けることにより可動刃が静止刃に対しバリカンの長手方向軸を横切る方向に往復運動することができるように刃集合体を構成および配置し、該静止刀は、歯端を有する基部及び該歯端の反対側にある取付端とで構成され、且つ、歯端からバリカンの長手方向軸に平行な方向に突起した複数の歯を相互に間隔を置いた互いに平行な関係に配列し、各歯が歯先および該歯先と反対側にあり歯端と接合する歯根を有し、歯根は、相互に間隔を置いた関係になるように歯端に接合されて歯根間に平坦な床面の溝を形成することによって、刈り取った毛の刃集合体からの排出および歯根を通して毛の通りを容易にすることを特徴とするバリカン用の刃を提供する。
【００１１】
本発明の第２は、可動刃および静止刃から成る刃集合体を備えたバリカン用の刃において、可動刃を静止刃に押し付けることにより可動刃が静止刃に対しバリカンの長手方向軸を横切る方向に往復運動することができるように刃集合体を構成および配置し、該静止刀は、歯端を有する基部及び該歯端の反対側にある取付端とで構成され、且つ、歯端からバリカンの長手方向軸に平行な方向に突起した複数の歯を相互に間隔を置いた互いに平行な関係に配列し、前記基部に歯端から始まる均一な半径を持つ部分を設けることにより、バリカンの長手方向軸に対して横方向に延展された円状隆起部を形成することによって、刈り取った毛の歯端からの排出および／または毛の通りおよび／または刈り取った毛の歯端からの離散を促進することを特徴とするバリカン用の刃を提供する。
【００１２】
本発明の第３は、可動刃および静止刃から成る刃集合体を備えたバリカン用の刃において、可動刃を静止刃に押し付けることにより可動刃が静止刃に対しバリカンの長手方向軸を横切る方向に往復運動することができるように刃集合体を構成および配置し、該静止刀は、歯端を有する基部及び該歯端の反対側にある取付端とで構成され、且つ、歯端からバリカンの長手方向軸に平行な方向に突起した複数の歯を相互に間隔を置いた互いに平行な関係に配列し、各歯が刃先および該刃先と反対側にあり歯端と接合する歯根を有し、各歯が少なくとも刈り込み領域において歯端付近に一定のすくい角を有することを特徴とするバリカン用の刃を提供する。
【００１３】
【発明の実施の形態】
本発明によれば、毛の通路および／または刈り取った毛の刈り込み領域からの離散を促進するように静止刃の基部に歯を配列して成るバリカン用の本発明の刃集合体によって達成され、あるいはそれ以上の効果が得られる。各歯は、隣接する歯との間に平坦な溝を設けることにより間隔を置いた関係で静止刃の上に配置した歯根を有する。この溝は、梳いた髪および／または刈り取った髪がそこを先行技術の静止刃構成の場合より自由に通り抜ける間隔を形成する。また、各歯に、平坦な溝の幅をさらに長くする後方筋部（backstriping）を設け、髪の通りおよび／または刈り取られた毛の刈り込み領域からの離散を促進して、歯に毛が詰まることがないようにする。また各歯は、刈り込み領域におけるその長さに沿って、およびその高さの所望の部分に沿って、均一なすくい角を有する。本発明の刃集合体の別の特徴は、刃が皮膚に食い込んだり引っかかるの防止するため、切刃端部を除く全ての部分に丸みを持たせたことである。
【００１４】
さらに具体的には、可動刃および静止刃から成り、可動刃を静止刃に押し付けることにより可動刃が静止刃に対しバリカンの長手方向軸を横切る方向に往復運動することができるように構成および配置した刃集合体を備えたバリカン用の刃を提供する。該静止刀は、該静止刀は、歯端を有する基部及び該歯端の反対側にある取付端とで構成され、且つ、歯端からバリカンの長手方向軸に平行な方向に突起した複数の歯を相互に間隔を置いた互いに平行な関係に配列し、各歯が、歯先および該歯先と反対側にあり歯端と接合する歯根を有する。歯根は相互に間隔を置いた関係になるように歯端に接合し、歯根間に平坦な床面の溝を形成することにより、毛および／または刈り取った毛の刃集合体の刈り込み領域からの排出、および歯根における毛の通りを促進する。本発明の刃集合体はまた、均一な半径を有する部分またはバリカンの長手方向軸に対して横方向に延展された円状隆起部を有する基部、および傾斜歯構成とが少なくとも静止刀に設けられ、それにより、刈り取った毛の排出をさらに促進することを特徴とする。
【００１５】
【実施例】
本発明の上記およびその他の特徴ならびにこれらを達成する方法は、以下で添付の図面に照らして説明する本発明の実施例を参考にすることにより、理解を深めることができよう。
まず図１について説明する。符号１０で示す電気バリカンはケース１２、モータ１４、および符号１６で示す刃集合体から成る。電気は、線間電圧、電池等の電源１８から供給される。
【００１６】
刃集合体１６は可動刃２０および静止刃２２を有する。可動刃２０は、バリカンの長手方向軸を横切る方向に左右に往復運動するように切刃２２を前後に動かす引張ばね２４によって、静止刃２２に押しつけられる。可動刃の運動は、モータ１４に結合された偏心カム２６によって行われる。可動刃２０には第１組の歯２８が設けられ、そして静止刃２２には第２組の歯３０が設けられている。可動刃２０の下側３２は、静止刃２２の上部表面に対し往復滑動し、刃の間に挟まれた毛が静止刃に対する可動刃の運動および相補的歯の剪断運動によって剪断される刈り込み領域３６を形成する。これらは当該分野に知られている通りである。
【００１７】
静止刃２２の下側３８には、ばね保持ブラケット４２を上部表面３４に固定し従って引張ばね２４を静止刃に固定するために使用される、少なくとも１つのねじ込み留め具４０の頭部を嵌入させるための位置がある。こうして可動刃２０を静止刃２２に保持し、本発明の刃集合体１６を形成し、刃集合体１６は刃の掃除や交換ができるように、バリカン１０にスナップフィット方式で切離可能に保持される。
【００１８】
次に図２および図３について説明する。符号４４で示す先行技術の静止刃も、刃２２と同様に上部３４および下部３８を有する。１列の歯４６は複数の比較的短い歯４８を含み、そうした歯は各々１対の比較的長い歯５０の間に配置され、当該分野にスキップ歯刃として知られる構造を形成する。スキップ歯刃は一般にペットの毛を刈るために使用され、そして隣接する長い歯５０の間の幅広い間隔により、より太い動物の毛を刈り込み領域３６に容易に梳き寄せることができる。刃４４は一般に一片の鋼板から、技術上よく知られた幾つかのプレス加工および／または機械加工工程により製造される。
【００１９】
さらに詳しく説明すると、刃４４は、歯４６を備えた歯端５４および該歯端と反対側の取付端５６を有する基部５２を含む。基部５２の取付端５６には、留め具４０を受容する大きさの少なくとも１つ、望ましくは２つの取付穴５８を配置する。
刃４４は１対の外縁６０を有し、複数の長い歯５０は、外縁６０の対応する１つに各々隣接する１対の最外端歯６２を含み、各歯６２の横方向の厚さはその他の長い歯の横方向の厚さより厚い。各々の歯４８、５０は刃先６４、６６および歯根６８、７０をそれぞれ有する。歯根は、刃先の反対側に位置するとともに歯が基部５２に係合する部分である。先行技術の刃４４は、短い歯４８および長い歯５０が両方とも、刃先６４、６６より歯根６８、７０の方が概して厚い。このような歯４６の別の一般的な特徴は、毛を梳き易くかつ毛を刈り込み領域３６に引き寄せ易くするために、長い歯５０の刃先６６の断面が薄く、横から見たときに形状が槍先形になることである（図５を見ると最もよく分かる）。
【００２０】
刈り取った毛を刈り込み領域から排出し易くするための初期の試みを、図２に明瞭に示す。歯４６の歯根６８、７０には、歯端５４から歯４６の後端７４まで伸長するＶ字形の溝７２がある。刃４４の製造時に、溝７２は一般に機械加工によって形成される。実際にはこの種の溝は、刈り込み領域３６から刈り込んだ毛を排出するのに不十分であることが明らかになっている。したがって、刈り込み領域は簡単に詰まってしまい、オペレータは時間をかけて頻繁に刃を掃除しなければならない。
【００２１】
次に図３および図４は、図２の線Ａ−Ａ及び線Ｂ−Ｂの断面図であり、歯４６の２か所の断面を示している。各歯は、その基部７３からその頂上部７５までの歯の傾斜の尺度であるすくい角Ｒを有する。刃４４のような先行技術のバリカンの刃の欠点は、すくい角Ｒが歯の長さの刈り込み領域３６付近の部分全体にわたって変動することである。この変動は、従来の研削、機械加工、およびフライス削り技術の結果生じるものであり、刃の性能を変化させ、刃の設計パラメータのずれの原因となる。図３のすくい角Ｒは、図４のすくい角Ｒ´より小さいことが分かる。すなわち図４の歯の部分は、図３の歯の部分に比較した場合、その頂上部７５に対する基部７３が広くなっている。図４の比較的細い頂上部７５は、図３の頂上部７５より製造中の損傷または構造上の劣化を生じ易い。中でも特にこのすくい角のくい違いから、図３で表わされる刃の部分の先鋭度は、図４のそれより低くなる。
【００２２】
次に図６から図１０に、本発明の刃を詳細に示す。静止刃２２は、以下で説明する特徴を組み込んでいることが分かる。しかし、これらの特徴は、可動刃２０にも組み込むことができる。刃２２は、特に刈り込み領域３６からの刈り込んだ毛の排出の問題に関し、先行技術の刃４４の欠点を克服するように特に設計されている。一般的に、以下で説明する特徴の多くは、先行技術の機械加工技術ではなく、射出成形による刃２２の製造によって実現される。射出成型は通常プラスチックに関係し、本発明の歯２２をプラスチックで製造することもできるが、ここでは歯２２は金属の射出成型により形成する。
【００２３】
静止刀２２の多くの基本的要素は刃４４と共通しているので、共通の要素は同一符号を用いて示す。したがって、静止刀２２は、歯端５４を持つ基部５２、該歯端の反対側の取付端５６、および少なくとも１つで望ましくは２つの取付穴５８とを含む。静止刀２２には１対の外縁６０もある。
全体的な歯の構成では、刃２２と刃４４は基本的な類似性を共有しているが、本発明の刃２２の特徴の１つは、歯３０が毛および／または刈り込んだ毛の刈り込み領域３６からの排出を最大化し、かつ従来のバリカンでは頻繁に発生した歯の皮膚への食い込みや引っかかりを最小限に抑制するために、再構成したことである。
【００２４】
本発明の刃２２では、各々が同じように基部７３と頂上部７５とを有する歯３０は、刀上に間隔をおいて互いに平行な交互に配列された複数の短い歯７６と多数の長い歯７８から成り、これにより各々の短い歯の両側に１つの長い歯を配置する。歯７６、７８は歯端５４から、バリカン１０の長手方向軸に平行な方向に突起する。短い歯７６および長い歯７８は、各々対応する刃先８０、８２ならびに対応する歯根８４、８６を有する。刃４４と同様に、歯７６、７８もまた後端７４を有する。
【００２５】
本発明の刃２２の主要な特徴は、歯根８４、８６を相互に間隔を置いた関係で歯端５４に接合することにより、歯根間に複数の一般に平坦な床面の溝８８を形成し、刃集合体１６から刈り込んだ毛の排出を促進することである。
次に図６および図９を見ると、各歯７６、７８の歯根８４、８６が、歯端５４の端部に隣接する幅広い部分９０から比較的細い刃先８０、８２に向かって、歯の長さに沿ってテーパーを有してしていることが分かる。同様に、各歯根８４、８６もまた、幅の広い部分９０から取付端５６に向かってテーパーを有する。この後者のテーパーにより、溝８８は取付端５６に向かって広がり、あるいは幅広くなり、刈り込まれた毛の刈り込み領域３６から排出が促進される。図６から最もよく分かるように、線Ｌの先では、可動刃の歯２８と静止刃の歯３０との間に接触は無い。その結果、線Ｌの向こうに位置する刃先８０、８２は概して直線状の側面を有し、刈り込み領域３６への毛の送り込みが促進される。線Ｌの後部には歯７６、７８に上記のテーパー構成が設けられ、刈り込み領域３６への毛の供給がさらに促進される。
【００２６】
次に図６、図９、図１２および図１３について説明すると、本発明の刃２２の
別の特徴は、各歯７６、７８に、各歯の後端７４から取付端５６の方向に伸長している、（バリカン１０の使用中における）縦方向に形成された（vertically depending）リブ９２の形の後方筋部を設けることである。後方筋部の程度は適用例によって異なるが、好適な実施例では、後方筋部は、実質的に基部５２の全長又は取付穴５８の外周９３によって定義される線まで伸長する。さらに、各々の後方筋部９２は、対応する歯３０の頂上部７５と同じ高さとし、そして散髪対象者個人の皮膚を引っ張ったり引っ掻いたりするのを軽減するために、その上縁９４に沿って丸みを施す。後方筋部９２はさらに溝８８を形成し、刈り込み領域３６からの毛および／または刈り込んだ毛の排出をさらに促進する。
【００２７】
本発明の刃２２のさらに別の特徴は、歯７６、７８の側面に、刈り込み領域３６における歯の長さ（刃先８０、８２から歯根８４、８６まで）の部分に沿って一定のすくい角Ｒ”（図７に最も分かりやすく示す）を有することである。すくい角Ｒ”は、刈り込み領域３６付近の幅広い部分９０の歯の基部７３で測定する。図７から、すくい角部分は、歯７６の高さの約３分の１の付近までしか伸長しないことが分かる。これは、すくい角Ｒ”を歯７６の高さ全体にわたって維持すると、比較的狭く、先鋭な頂上部７５が形成されるからである。先鋭な頂上部は製造中に損傷しやすく、あるいは構造的に劣化しやすいので、このような種類の歯の構成は望ましくない。本発明の刃２２では、すくい角Ｒ”の大きさが歯の厚さに依存しないような歯の構成を実現している。図７に示すように、歯７６における頂上部７５の幅または厚さは、すくい角Ｒ”が頂上部まで維持された場合より大きくなっている。その結果、歯は通常の歯に比較してかなり良好なすくい角を持ち、しかも適切な頂上部の幅を維持している。１つの実施例では、すくい角は９゜であるが、適用例によって他の角度が考えられる。
【００２８】
このように、溝８８の正面から後方への寸法を徐々に広げることに加えて、歯の形状を個別化することにより、歯２２は刈り取り領域３６から縦方向に遠くなるにつれて、幅が広く開放された空間を形成する。刃２２は、歯７６、７８を下向きにしてバリカンに配置されるので、この構成は、毛および／または刈り取られた毛が刈り取り領域から離れて落下するのを促進する。
【００２９】
次に図６を参照すると、刃２２の外縁部６０で、最外端の歯９６はそれぞれ対応する外縁部に隣接して配置され、そして各々の最外端の歯は、他の長い歯７８の対応する厚さに比べて横方向の厚さがより厚い。この厚さは、最外端の歯の間に位置する歯を保護するように、特に衝撃防止手段となるように設計されている。本発明の刃２２では、端部の歯の各々が切欠部９８を形成し、対応する縁部６０は重量を最小に抑制しながら所望の衝撃防止手段となる。
【００３０】
次に図１２および図１３を参照すると、歯２２の基部５２が、取付端５６から歯端５４まで伸長する壁厚Ｔを有することが示されている。好適な実施例では、基部５２は、歯端５４から始る長手方向軸に対して横方向に延びる円状隆起部１００を形成する均一な半径部を有する。射出成形の観点から、厚さＴは、均一な半径部または横方向に延びる盛り上り部１００を含めて、基部全体で均一であることが望ましい。
【００３１】
均一半径を有する横方向に延展された円状隆起部１００の利点は、刈り取られる毛の円滑な流れが促進され、そして、溝８８と一緒に機能することにより、刈り取られた毛の刈り取り領域３６からの排出がさらに促進されることである。好適な実施例では、均一半径を有する横方向に延展された円状隆起部１００は、歯２２の取付端５６より歯端５４に近い位置に設ける。平坦な床面の溝８８は、均一半径を有する横方向に延展された円状隆起部で測定したときに、相互に実質的に均等間隔に配置する。言うまでも無く均一半径を有する横方向に延展された円状隆起部１００の位置および形状は、歯２２の適用例によって変化することができ、あるいは除去することもできる。しかし、スキップ歯形の刃２２を使用して動物の毛を刈る場合、均一半径を有する横方向に延展された円状隆起部１００の存在により、動物の油脂の蓄積による目詰まりが防止される。
【００３２】
次に図１１乃至図１３について説明すると、刃２２のさらに別の特徴は、切刃部を除く歯７６、７８の刃先８０、８２、頂上部７５、上部後方筋部９４、および歯７６、７８のその他の全ての縁部が丸みを持っているので、従来のバリカンの刃集合体で発生したような散髪される皮膚または頭皮を引っ張ったり引っ掻いたりすることが最小限に抑制されることである。さらに、各々の長い歯７８の先端縁１０２が、横から見たときに湾曲した形状を持ち（図１２に最もよく示される）、毛髪内の刃集合体１６の移動が促進される。
【００３３】
次に図１４を参照すると、図６の刃２２の代替実施例が符号１０４として示されている。刃１０４と上述の刃２２との大きな相違点は、刃１０４が、刃２２のようなスキップ歯構成を持たないことである。その代わりに、全ての歯３０は同じ長さである。この種の刃は一般に、動物の毛ではなく、人間の毛を刈るのに使用される。刃２２のその他の構成要素および特徴は全て、刃１０４にも存在しており、同様の符号が割り当てられている。
【００３４】
次に図１５では、本発明の静止歯２２と一緒に使用するのに適した可動刃２０を詳細に示している。可動刃の各々の歯２８はナイフ状の切刃表面１０６により分離され、そして切刃は可動刃２０の運動方向に配向されている。切刃１０６の特徴は、静止刃の歯３０の間に入った毛束の一部を切断できることである。隣接する歯２８間の間隔は、隣接する静止歯３０間の間隔より大きい。歯２８は平坦な歯先１０８を有し、ナイフ状の切刃表面１０６により分離される。切刃１０６は可動刃が往復運動するＡ方向に配向され、実際のかみそりの鋭利さは必要ないが、可動刃によって生じるスライス動作で毛を刈り取るのに充分な鋭利さである。
【００３５】
一般に、ナイフ状の切刃表面１０６は、ナイフのスライス動作によって刈るのと同様に毛束を刈り、歯２８は従来のバリカンと同様に剪断動作により刈る。場合によっては、歯２８が毛束の一部を部分的に刈るだけにすることができる。また、本発明の静止刃２２を、技術上よく知られているような、鋭利な切刃表面１０６を持たない複数の歯を有する従来の可動刃と一緒に使用することもできる。
【００３６】
使用中、バリカン１０は通常の方法で使用する。真っ直ぐな側面を有する刃先と刈り取り領域３６付近のダイヤモンド形の部分（上から見たときの状態、図９が最も分かりやすい）を有する長い歯７８は、毛を刈り取り領域に送り込むのに役立ち、そこで静止刃２２に対する可動刃２０の剪断動作により、毛の刈り込みが行われる。平坦な床面を有する溝８８、バックストライピング９２および横方向の円丘１００をはじめとする特徴の組み合わせにより、刈り込んだ毛がたまったり目詰まりすることを回避し、刈り込んだ毛を刈り込み領域３６から容易に排出する構造が形成される。
【００３７】
さらに、刃集合体１６に鋭利な切刃表面１０６を特徴とする可動刃２０を装備すると、可動歯２８により一部の毛束を刈る一方で、ナイフ状の表面１０６により他の毛束を刈ることができる方向にバリカン１０を動かすことができる。毛束への接近角度は、可動刃による刈り込み率に影響する。歯２８は切刃４２と全く異なる方法で毛束を刈り取るものではないが、これにより外観上、かみそりによって達成されるスタイルと同様の新規な独自のバリカンによるヘアスタイルが形成される。
【００３８】
以上、本発明のバリカンの刃集合体の特定の実施例について図示し説明したが、当業者は、本発明のより幅広い実施態様および特許請求の範囲から逸脱することなく、変化例や改造例を容易に思いつくことができる。
【図面の簡単な説明】
【図１】図１は、本発明の刃集合体を受容するのに適した種類のバリカンの縦断面図である。
【図２】図２は、本発明を説明するためのバリカンの静止歯の底面図である。
【図３】図３は、図２の線Ａ−Ａにおける断面図である。
【図４】図４は、図２の線Ｂ−Ｂにおける断面図である。
【図５】図５は、図２の刃の側面図である。
【図６】図６は、本発明の刃集合体の静止刃の底面図である。
【図７】図７は、図６の線Ａ−Ａにおける断面図である。
【図８】図８は、図５の静止刃の部分平面図である。
【図９】図９は、図５に示す刃の拡大部分底面図である。
【図１０】図１０は、図５の静止刃の拡大部分平面図である。
【図１１】図１１は、本発明の静止刃の平面図である。
【図１２】図１２は、図１１の刃の側面図である。
【図１３】図１３は、図６の線１０−１０における断面図である。
【図１４】図１４は、本発明の静止刃の代替実施例の底面図である。
【図１５】図１５は、本発明で使用するのに適した可動刃の平面図である。
【符号の説明】
１０・・・バリカン
１６・・・刃集合体
２０・・・可動刃
２２・・・静止刃
５２・・・基部
５４・・・歯端
５６・・・取付端
８０・・・歯先
８２・・・歯先
８４・・・歯根
８６・・・歯根
８８・・・平坦な床面を有する溝
【図１】
0003798521.tif 000002
【図２】
0003798521.tif 000003
【図３】
0003798521.tif 000004
【図４】
0003798521.tif 000005
【図５】
0003798521.tif 000006
【図６】
0003798521.tif 000007
【図７】
0003798521.tif 000008
【図８】
0003798521.tif 000009
【図９】
0003798521.tif 000010
【図１０】
0003798521.tif 000011
【図１１】
0003798521.tif 000012
【図１２】
0003798521.tif 000013
【図１３】
0003798521.tif 000014
【図１４】
0003798521.tif 000015
【図１５】
0003798521.tif 000016